(57)【要約】【課題】冷蔵庫２００に対する食品８０２の出し入れ情報（冷蔵庫の使用状況）を、冷蔵庫使用者の安否を確認する情報として活用する。【解決手段】非接触タグ８０２には、他と識別するための識別情報を記憶させておく。冷蔵庫２００はタグアンテナ部１１２を備え、非接触タグ８０２の情報を読み取り、この読み取りを実施すると通知部２１４は情報端末装置１００に通知を行う。情報端末装置１００は、その通知を識別情報毎にカウントする。サーバ３００にそのカウント値を蓄積記憶させ、外部携帯端末装置４００でそのデータを閲覧することによって、冷蔵庫使用者の安否を確認することができるとともに、冷蔵庫使用者の生活情報を把握することができる。また、非接触タグ８０２を利用しているので、冷蔵庫使用者を識別することも可能である。【選択図】図２
2006163680.tif 000002
【特許請求の範囲】
【請求項１】
庫内に設置されたタグアンテナ部と、前記タグアンテナ部が食品若しくは人に添付された非接触タグとデータの授受を行うと通知する通知部とを備える冷蔵庫と、データ蓄積部を備えるサーバと、前記冷蔵庫と前記サーバに接続する情報端末装置とで構成される電気機器システムにおいて、
前記情報端末装置は、前記冷蔵庫と通信を可能とする第１の送受信部と、前記第１の送受信部が受信した前記通知をカウントする通知カウント部と、前記サーバと通信を可能とする第２の送受信部と、時間を計時する計時部とで構成され、
前記第２の送受信部は、前記計時部が所定の時間を計時すると、前記サーバに前記カウント値を送信し、前記データ蓄積部に記憶させる電気機器システム。
【請求項２】
前記非接触タグには前記食品若しくは前記人を識別する識別情報を記憶させ、前記通知カウント部は前記１つの識別情報についての通知をカウントし、前記カウント値を前記サーバに送信し、前記データ蓄積部に識別情報ごとのカウント値を記憶させる請求項１に記載の電気機器システム。
【請求項３】
前記情報端末装置は、前記通知カウント部がカウントする前記非接触タグの種類を設定するカウント設定部とを備え、
前記通知カウント部は、前記カウント設定部で設定された前記非接触タグについてだけの通知をカウントする請求項２に記載の電気機器システム。
【請求項４】
前記情報端末装置において、前記カウント値が所定基準値より著しく異なる場合にその旨を外部に報知する外部報知部を備える請求項１から３のいずれかに記載の電気機器システム。
【請求項５】
前記冷蔵庫はドア開閉検知部を備え、前記タグアンテナ部は、前記ドア開閉検知部がドア開を検知している時のみに前記非接触タグとのデータの授受を行うことを特徴とする請求項１から４のいずれかに記載の電気機器システム。
【請求項６】
請求項１〜４のいずれか１項に記載の電気機器システムの情報端末装置の少なくとも一部をコンピュータに実行させるプログラム。
【発明の詳細な説明】
【技術分野】
【０００１】
本発明は、冷蔵庫使用者の生活をモニタリングする電気機器システム及びそのプログラムに関するものである。
【背景技術】
【０００２】
近年、ネットワークに接続可能な電気機器であるネットワーク家電が提案されており、これに伴いこれらの電気機器を対象とした様々なサービスが提案されている。その一つとして、冷蔵庫のドア開閉回数を冷蔵庫自身が保持しておき、その情報を遠隔にある携帯電話で確認できるようにして、冷蔵庫使用者の生活情報を把握するサービスがある（例えば、特許文献１参照）。
【０００３】
また、老人ホームなどに住む高齢者が、冷蔵庫に保存される食事が摂取されているか否かによって高齢者の安否を確認するサービスもある（例えば、特許文献２参照）。
【０００４】
図７は、特許文献１に記載された従来の冷蔵庫を含む生活モニタシステムの構成を示すものである。図７に示すように、宅内１にある情報端末装置１００と冷蔵庫２００と宅外にあるサーバ３００と別の宅内１ａにある情報端末装置１００ａと外部携帯端末装置４００で構成される。情報端末装置１００と冷蔵庫２００は、第１のネットワーク５００である近距離無線通信ネットワークで通信を行い、情報端末装置１００とサーバ３００と報端末装置１００ａと外部携帯端末装置４００とは、第２のネットワーク６００であるインターネットを介して通信している。
【０００５】
ここで、冷蔵庫２００は、自身のドア開閉をカウントし情報端末装置１００から要求があった場合にそのカウント値を応答として送信している。
【０００６】
情報端末装置１００は、定期的に冷蔵庫２００のドア開閉回数を取得してサーバ３００に送信している。
【０００７】
そして、情報端末装置１００、１００ａと外部携帯端末装置４００とは報知部１０１、１０１ａ、４０１を備えているものとする。
【０００８】
サーバ３００は、データ蓄積部３０１を備え、情報端末装置１００から受信したドア開閉回数を任意の形式で記憶している。
【０００９】
以上のような構成で、情報端末装置１００ａ若しくは外部携帯端末装置４００の報知部（１０１ａ、４０１）で、データ蓄積部３０１に記憶している冷蔵庫２００のドア開閉回数を確認して冷蔵庫２００使用者の安否を確認することができるようにしたものである。
【００１０】
図８は、特許文献２に記載された従来の情報端末装置を含む生活安否システムの機能ブロック図である。図８に示すように、情報端末装置１００であるホストコンピュータと冷蔵庫２００で構成され、両者は通信回路５０１で接続されている。
【００１１】
ここで冷蔵庫２００には、冷蔵庫２００に収納される高齢者の食べる食事をのせたトレイを検知するセンサ２０１と、センサ２０１の検知結果を情報端末装置１００に送信する通信部２０２とで構成されている。
【００１２】
情報端末装置１００は、通信部２０２から通知を受信する通信部１０３、通知があったことを記憶するデータ記憶部１０２が、センサ２０１の数（冷蔵庫２００の数）分備えている。
【００１３】
以上のような構成で、このデータ記憶部１０２のデータを参照することによって、食事を食する高齢者の食生活を把握することができるというものである。
【特許文献１】特開２００４−２２８７８４号公報
【特許文献２】特開平１１−２１１３０５号公報
【発明の開示】
【発明が解決しようとする課題】
【００１４】
しかしながら、前記従来の特許文献１の構成では、冷蔵庫２００がカウントするドア開閉回数を確認することになるので誰が操作したか否かの情報は、反映されない。そのため、冷蔵庫２００を使用する人が複数いたときに誰が冷蔵庫２００から食品を取り出したかということを考慮することができないという課題を有していた。
【００１５】
また、前記従来の特許文献２の構成では、誰が食事をとったかとか、誰がどの食事をとったかといった情報については、センサ２０１と人、センサ２０１と食事を１対１に対応さたりするなど仕組みを作っておかなくてはいけないし、食事を作って冷蔵庫２００に保存する人も決まった場所に決まった食事を保存するなどの手間が必要になるという課題を有していた。
【００１６】
本発明は、前記従来の課題を解決するもので、冷蔵庫使用者の生活状況の把握や冷蔵庫使用者の安否確認を簡単に行う電気機器システム及びそのプログラムを提供することを目的としている。
【課題を解決するための手段】
【００１７】
前記従来の課題を解決するために、本発明の電気機器システムは、庫内に設置されたタグアンテナ部と、前記タグアンテナ部が食品若しくは人に添付された非接触タグとデータの授受を行うと通知する通知部とを備える冷蔵庫と、データ蓄積部を備えるサーバと、前記冷蔵庫と前記サーバに接続する情報端末装置とで構成され、前記情報端末装置は、前記冷蔵庫と通信を可能とする第１の送受信部と、前記第１の送受信部が受信した前記通知をカウントする通知カウント部と、前記サーバと通信を可能とする第２の送受信部と、時間を計時する計時部とで構成され、前記第２の送受信部は、前記計時部が所定の時間を計時すると、前記サーバに前記カウント値を送信し、前記データ蓄積部に記憶させるようにするようにしたものである。
【００１８】
これによって、食品若しくは人（例えば手）に添付されたタグと前記タグアンテナ部が前記冷蔵庫から食品を出し入れすることによって、データの授受を行い、前記データの授受を行うと前記通知部が前記情報端末装置にその旨を通知するので、前記通知カウント部が前記通知をカウントすることができる。
【発明の効果】
【００１９】
本発明の電気機器システム及びそのプログラムは、冷蔵庫使用状況を確認することができることで彼らの生活状況を把握することができるとともに、冷蔵庫使用者の安否確認を簡単に行うことができる
【発明を実施するための最良の形態】
【００２０】
第１の発明は庫内に設置されたタグアンテナ部と、前記タグアンテナ部が食品若しくは人に添付された非接触タグとデータの授受を行うと通知する通知部とを備える冷蔵庫と、データ蓄積部を備えるサーバと、前記冷蔵庫と前記サーバに接続する情報端末装置とで構成される電気機器システムにおいて、前記情報端末装置は、前記冷蔵庫と通信を可能とする第１の送受信部と、前記第１の送受信部が受信した前記通知をカウントする通知カウント部と、前記サーバと通信を可能とする第２の送受信部と、時間を計時する計時部とで構成され、前記第２の送受信部は、前記計時部が所定の時間を計時すると、前記サーバに前記カウント値を送信し、前記データ蓄積部に記憶させることにより、食品若しくは人（手）に添付されたタグと前記タグアンテナ部が前記冷蔵庫から食品を出し入れすることによって、データの授受を行い、前記データの授受を行うと前記通知部が前記情報端末装置にその旨を通知するので、前記通知カウント部が前記通知をカウントすることができる。
【００２１】
第２の発明は、特に、第１の発明の情報端末装置において、前記非接触タグには、前記食品若しくは前記人を識別する識別情報を記憶させ、前記通知カウント部は、前記１つの識別情報についての通知をカウントし、前記カウント値を前記サーバに送信し、前記データ蓄積部に識別情報ごとのカウント値を記憶させることにより、そのデータを確認すれば、前記冷蔵庫に収納される食品それぞれの出し入れの状況を確認することができるので、前記冷蔵庫使用者の安否を確認する（冷蔵庫を使用していることを確認する）とともに、食品に添付すれば、そのデータが食品毎の使用頻度の情報として活用することができる。
【００２２】
更に、食品（食事）をのせるトレイや食品を保管する容器に前記非接触タグを添付した場合には、食事や食品を食べたかどうか（冷蔵庫外に取り出したか否か）を確認することができる。
【００２３】
また、前記非接触タグを人に添付すれば、複数の使用者について使用者ごとの冷蔵庫の使用頻度（使用の有無）を確認することができるので、例えば、誰が食事（食品）を食べたか（冷蔵庫外に取り出したか）を確認することができる。
【００２４】
第３の発明は、特に、第２の発明の発明の情報端末装置が、前記通知カウント部がカウントする前記非接触タグの種類を設定するカウント設定部とを備え、前記通知カウント部は、前記カウント設定部で設定された前記非接触タグについてだけの通知をカウントするようにすることにより、前記非接触タグを食品に添付すれば、任意の食品の使用状況のみを前記データ蓄積部で管理できるとともに、前記非接触タグを人に添付すれば家族の特定の人（子供など）に限定して安否の確認や食事の摂取の確認を行うことが可能になる。
【００２５】
第４の発明は、特に、第１から第３発明のいずれか１つの発明の情報端末装置が、前記カウント値が所定基準値より著しく異なる場合にその旨を外部に報知する外部報知部を備えることにより、前記冷蔵庫使用者それぞれの生活状況を前記冷蔵庫への食品の出し入れの回数を指標にしてモニタし、回数が基準値より著しく異なる場合は、異常が発生したと推測し、外部報知部が外部に報知することで遠隔にいる第３者にその異常を通知することができる。
【００２６】
第５の発明は、特に、第１から第４の発明のいずれか１の発明の電気機器システムの冷蔵庫が、ドア開閉検知部を備え、前記タグアンテナ部は、前記ドア開閉検知部がドア開を検知している時のみに前記非接触タグとのデータの授受を行うようにすることにより、前記タグアンテナ部が、データ授受の為の電波をドアが開放中にのみ出力するようにできるので省エネに貢献することができる。
【００２７】
第６の発明は、特に、第１から第４の発明のいずれか１つの発明の電気機器システムの情報端末装置の機能の少なくとも１部をコンピュータで実現するプログラムである。そして、プログラムであるのでＣＰＵ（マイコン）、ＲＡＭ、ＲＯＭ、記憶装置、Ｉ／Ｏなどを備えた電気情報機器、コンピュータ、サーバ等のハードリソースを協働させて本発明の情報端末装置の少なくとも一部を容易に実現することができる。また記録媒体に記録したり通信回線を用いてプログラムを配信したりすることでプログラムの配布やインストール作業が簡単にできる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における情報端末装置を含む電気機器システムのシステム構成図を示すものである。
【００３０】
図１において、電気機器システムは、宅内１にある情報端末装置１００と、冷蔵庫２００と、宅外にあるサーバ３００と、別の宅内１ａにある情報端末装置１００ａ、と外部携帯端末装置４００、と冷蔵庫２００を使用する使用者８００と、冷蔵庫２００に収納される食品８０１とで構成される。
【００３１】
情報端末装置１００には、報知部１０１として液晶ディスプレイパネルを備えると伴に、入力部１０４、１０４ａとして液晶ディスプレイパネル（報知部１０１）に重ねられたタッチパネルを備えている。
【００３２】
第１のネットワーク５００は通信媒体を無線とし、情報端末装置１００と冷蔵庫２００には無線ユニット１０５と２０３を備えるものとする。なお、第１のネットワーク５００の通信媒体として無線を利用したが、電線や電源ラインにデータを重畳させる電灯線通信など有線であっても構わない。
【００３３】
使用者８００と食品８０１には、非接触タグ８０２が使用者８００については携帯していて、食品については添付されている。なお、使用者８００については、腕時計やブレスレットと一体化させるなどして腕（手）付近に携帯できるようにしてもよい。
【００３４】
図２は、本発明の第１の実施の形態における情報端末装置を含む電気機器システムの機能ブロック図を示すものである。
【００３５】
図２において、情報端末装置１００は、第１の送受信部１１１と、第２の送受信部１１２と、通知カウント部１１３と、計時部１１５と、外部報知部であるメール送信部１１６と、報知部１０１と、入力部１０４とで構成されている。
【００３６】
冷蔵庫２００は、送受信部２１１と、非接触タグ８０２と、データの授受を行うタグアンテナ部２１２と、冷蔵庫２００に取り付けられているドアの開放を検知するドア開閉検知部２１３と通知部２１４とで構成されている。
【００３７】
サーバ３００は、送受信部２１１と、情報端末装置１００から送信される通知カウント部１１３がカウントしたカウント値を記憶するデータ蓄積部３０１とで構成されている。
【００３８】
外部携帯端末装置４００は、送受信部４１１と、入力部４１２と、報知部４０１とを備えている。
【００３９】
第１の送受信部１１１は、第１のネットワーク５００に接続し冷蔵庫２００と通信するためのものであり、第２の送受信部１１２は、第２のネットワーク６００に接続しサーバ３００と通信するためのものである。
【００４０】
通知カウント部１１３は、第１の送受信部１１１を経由して冷蔵庫２００から送信される、タグアンテナ部２１２が非接触タグ８０２とのデータの授受を行った通知の回数をカウントするものである。
【００４１】
計時部１１５は、予め定められた時間を計時するもので、１時間、１日（２４時間）といった時間を計時するものである。
【００４２】
メール送信部１１６は、外部携帯端末装置４００にメールを送信するもので、送る内容（文言）については、メール送信部１１６自身が文言記憶部を備え、定型文言を送信するものとする。
【００４３】
送受信部２１１は、第１のネットワーク５００に接続し情報端末装置１００と通信するためのものであり、タグアンテナ部２１２とは、非接触タグ８０２に対して電波を出力するとともに、非接触タグ８０２から出力される電波を受信することによって非接触タグ８０２とデータの授受を行うものである。
【００４４】
ドア開閉検知部２１３とは、冷蔵庫２００のドアが開いている時にはＯＮ、ドアが閉まっているときにはＯＦＦとなるようなスイッチを想定している。
【００４５】
また、タグアンテナ部２１２は、このドア開閉検知部２１３がＯＮになっている間（開いている間）だけ、非接触タグ３０２とデータの授受を行うための電波を出力するものとする。食品の出し入れは必ずドアが開中に行われるものであるため、効率的に電波を出力することができるので、省エネに貢献することができる。
【００４６】
通知部２１４とは、タグアンテナ部２１２が非接触タグ８０２とデータの授受を行うと、送受信部２１１を介して情報端末装置１００にデータの授受を行ったことを知らせるものである。
【００４７】
更に本実施の形態のタグアンテナ部２１２は、図３に示すように冷蔵庫２００に対して庫内もしくはドアに予め搭載されている庫内操作部２１５と一体化されて設置されているものとする。昨今の冷蔵庫２００には、庫内の温度を調節するためにコンプレッサーの動作を制御したり、付加機能（脱臭機能）の動作を制御するための庫内操作部２１５搭載されていたりするものが多い。そのため、この庫内操作部２１５と一体化することによってタグアンテナ部２１２を動作させるための電源などの配線をこの庫内操作部２１５のものと共用することによってタグアンテナ部２１２の為に別途配線の考慮を行わなくて済む。
【００４８】
送受信部３１１、送受信部４１１は、第１のネットワーク５００に接続し情報端末装置１００と通信するためのものであり、入力部４１２は、外部携帯端末装置４００の使用者の操作を電気信号に変換するものである。
【００４９】
以上のように構成された情報端末装置１０１、３０５について、以下その動作、作用を説明する。
【００５０】
図４は、本実施の形態における情報端末装置１００の動作を示すフローチャートである。
【００５１】
図４のように、計時部１１５は時間を計時し（Ｓ４０１）、所定の時間（１時間、１日）を計時すると（Ｓ４０２）、第２の送受信部１１２は通知カウント部のカウント値をサーバ３００に対して送信する（Ｓ４０３）。サーバ３００の送受信部３１１も情報端末装置１００からカウント値を受信するとデータ蓄積部３０１に記憶する。
【００５２】
次にメール送信部１１６は、カウント値が予め決められた基準値より大きく異なるとき（例えばカウント値が０であったりした場合）（Ｓ４０４）、外部携帯端末装置４００にその旨を知らせるメールを送信する（Ｓ４０５）。
【００５３】
なお、この基準値は、情報端末装置で予め決まられた値を基準値としているが、情報端末装置１００が基準値記憶部を備えて、使用者によって入力部１０４を介して入力された値を基準値記憶部に記憶しておきその値を基準値とするようにしてもよいし、外部携帯端末装置４００の入力部の操作によって第２のネットワーク６００を経由して入力される値を同様に基準値記憶部に記憶しておきその値を基準値とするようにしてもよい。
【００５４】
メールを送信する相手であるが、外部携帯端末装置４００に限定するものでなく、遠隔にある宅内１ａにある情報端末装置１００ａに送信するようにしてもよい。これについても、入力部１０４を介して入力されたアドレスにメールを送信するものとする。また、本実施の形態ではメールを送信するようにしているが、電話をかけるようにしても構わない。
【００５５】
次に通知カウント部１１３は、サーバ３００にカウント値を送信するとカウント値を０に設定する（クリアする）（Ｓ４０６）。また、第１の送受信部２１１が冷蔵庫２００の通知部２１４から食品の出し入れの通知（タグアンテナ部２１２と非接触タグ８０２とのデータの授受を行った通知）を受信すると（Ｓ４０７）、通知カウント部１１３がカウント値をインクリメント（回数を１カウントアップ）する（Ｓ４０８）。情報端末装置１００は、以上のような処理を繰り返し行う。
【００５６】
以上のように、本実施の形態においては、冷蔵庫２００のタグアンテナ部２１２で食品８０１の出し入れを検知して、その回数を情報端末装置１００でカウントし、そのカウント値をサーバ３００が保持して、外部携帯端末装置４００がその情報を取得し、報知部４０２で報知するようにすれば、冷蔵庫２００の使用状況（食品８０１の出し入れ）が遠隔ある外部携帯端末装置４００で確認することができる。
【００５７】
日常生活において冷蔵庫２００から食品８０１を出し入れする行動は、頻繁に行われる行動である。そのため、冷蔵庫２００の使用状況を遠隔地で確認することで冷蔵庫２００使用者の安否を確認することが可能になる。
【００５８】
また、計時部１１５によって所定の時間を計時し、データ蓄積部３０１に所定時間ごとのカウント値を記憶させることによって、計時部１１５の計時する時間を１日とすれば、１日の冷蔵庫１００の使用情報をデータ蓄積部３０１に記憶させていくのでそのデータを確認すれば１日の使用状況を確認することが可能になる。その他、計時部１１５の計時する時間を１時間などに設定すれば、時間ごとの使用状況の推移をデータ蓄積部３０１に記憶させていくのでそのデータを確認すれば１日の生活のリズムを確認することが可能になる。
【００５９】
また、メール送信部１１６によって食品８０１が行われなかったときに、外部携帯端末装置４００にメールを送信することによって、冷蔵庫２００使用者の異常を遠隔の家族に知らせることが可能になる。なお、食品８０１の出し入れをカウントする処理を情報端末装置１００が行うのでなく、冷蔵庫２００若しくはサーバ３００でカウントするようにしても構わない。
【００６０】
（実施の形態２）
図５は、本発明の第２の実施の形態における情報端末装置を含む電気機器システムの機能ブロック図を示すものである。
【００６１】
図５において、第１の実施の形態における非接触タグ８０２に他のものと区別するために使用する識別情報を保持する識別情報記憶部８０３を備えさせるとともに、情報端末装置１００に通知カウント部１１３がカウントする通知を非接触タグの種類を設定するカウント設定部１１７を備えるようにしたものである。
【００６２】
本実施の形態において、タグリーダ部２１２は、非接触タグ８０２から識別情報をデータの授受として読み出し、情報端末装置１００にデータの授受が行われるたびに通知部２１４は少なくとも識別情報を送信するものとする。通知カウント部１１３は識別情報を確認し、カウント設定部１１７に設定されている識別情報についての通知だけをカウントするようにする。そして、カウント設定部１１７に複数の識別情報が設定されている場合にはその識別情報毎にカウントするものとする。なお、識別情報とは、非接触タグ８０２毎に固有に割り当てられた数値である。
【００６３】
図６は、本実施の形態における情報端末装置１００の動作を示すフローチャートである。
【００６４】
図６のように、実施の形態１における情報端末装置１００のフローチャートのＳ４０８がＳ４０８ａからＳ４０８ｃとＳ４０９ａからＳ４０９ｃに入れ替わったものである。
【００６５】
第１の送受信部２１１が冷蔵庫２００から食品の出し入れの通知（タグアンテナ部２１２と非接触タグ８０２とのデータの授受を行った通知）を受信すると（Ｓ４０７）、通知カウンタ部は、この通知の中に含まれている識別情報を読み出し（Ｓ４０８ａ）、識別情報を基にタグアンテナ部２１２とデータの授受を行った非接触タグ８０２が何であるか解析しカウント設定部１１７にて設定されている識別情報否かの判別を行い（Ｓ４０８ｂ）、設定されているものであるならば、識別情報の種類を解析して（Ｓ４０８ｃ）識別情報の種類毎に通知の回数をインクリメントする（Ｓ４０９ａからＳ４０９ｃ）。
【００６６】
以上のように、本実施の形態では、カウント設定部１１７によって設定された通知のみをカウントし、なおかつその種類毎に通知をカウントし、データ蓄積部３０１に記憶させていくので、そのデータを確認すれば、前記冷蔵庫に収納される食品それぞれの出し入れの状況を確認することができるので、前記冷蔵庫使用者の安否を確認する（冷蔵庫を使用していることを確認する）とともに、食品に添付すれば、出し入れの状況が食品毎の使用頻度の情報として活用することができる。
【００６７】
更に、食品（食事）をのせるトレイや食品を保管する容器に前記非接触タグを添付した場合には、食事や食品を食べたかどうか（冷蔵庫外に取り出したか否か）を確認することができる。その他、人に添付すれば、複数の使用者について使用者ごとの冷蔵庫の使用頻度（使用の有無）を確認することができるので、例えば、誰が食事（食品）を食べたか（冷蔵庫外に取り出したか）を確認することができる。
【００６８】
また、実施の形態１、２において、非接触タグ８０２とタグアンテナ部２１２との間のデータ授受の回数を外部携帯端末装置４００の報知部４０１で確認するようにしたが、遠隔の別の宅内にある情報端末装置１００ａや第２のネットワーク６００に接続されているパソコンなどから確認するようにしても構わない。
【００６９】
なお、本実施の形態で説明した部は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００７０】
以上のように、本発明にかかる電気機器システム及びそのプログラムは、電気機器を冷蔵庫のみに限定しないで、電子レンジや炊飯器といったほかの電気機器にも同様の仕組みを適用して安否情報確認する手段として適用することができる。
【図面の簡単な説明】
【００７１】
【図１】本発明の実施の形態１における情報端末装置を含む電気機器システムのシステム構成図
【図２】本発明の実施の形態１における情報端末装置を含む電気機器システムの機能ブロック図
【図３】本発明の実施の形態１における冷蔵庫の斜視図
【図４】本発明の実施の形態１における情報端末装置のフローチャート
【図５】本発明の実施の形態２における情報端末装置を含む電気機器システムの機能ブロック図
【図６】本発明の実施の形態２における情報端末装置のフローチャート
【図７】従来の情報端末装置を含む生活モニタシステムの構成図
【図８】従来の情報端末装置を含む生活安否システムの機能ブロック図
【符号の説明】
【００７２】
１００、１００ａ  情報端末装置
１０１、１０１ａ  報知部（液晶ディスプレイパネル）
１０２  データ記憶部
１０３  通信部
１０４、１０４ａ  入力部（タッチパネル）
１０５  無線ユニット
１１１  第１の送受信部
１１２  第２の送受信部
１１３  通知カウント部
１１５  計時部
１１６  メール送信部（外部報知部）
１１７  カウント設定部
２００  冷蔵庫
２０１  センサ
２０２  通信部
２０３  無線ユニット
２１１  送受信部
２１２  タグアンテナ部
２１３  ドア開閉検知部
２１４  通知部
２１５  庫内操作部
３００  サーバ
３０１  データ蓄積部
３１１  送受信部
４００  携帯端末装置
４０１  報知部
４１１  送受信部
４１２  入力部
５００  第１のネットワーク
５０１  通信回路
６００  第２のネットワーク
７００  通信回路
８００  使用者
８０１  食品
８０２  非接触タグ
８０３  識別情報記憶部
【図１】
2006163680.tif 000003
【図２】
2006163680.tif 000004
【図３】
2006163680.tif 000005
【図４】
2006163680.tif 000006
【図５】
2006163680.tif 000007
【図６】
2006163680.tif 000008
【図７】
2006163680.tif 000009
【図８】
2006163680.tif 000010